(57)【特許請求の範囲】
【請求項１】
キャップ基体の上壁に立設され上方に広がる円錐状弁座を具えた注出開口部と、該注出開口部に係合する開口弁を備えた液注出容器において、
開口弁が、中央に透孔を穿孔した円錐状弁部と、下端にばね受け部を設けた円筒部とからなり、
キャップ基体の上壁下面とばね受け部との間に圧縮ばねを弾装し、
注出開口部の円錐状弁座面に凸部を形成し、開口弁の円錐状弁部に前記凸部と係合する凹部を設け、内容液をシャワー状に噴出するようにしたことを特徴とする液注出容器。」
【請求項２】
注出開口部の円錐状弁座面に形成した凸部が突条であり、開口弁の円錐状弁部に設けた凹部が凹溝であって、
突条の山面が開口弁の解放時にも凹溝内に位置するように設け、内容液を二重シャワー状に噴出するようにしたことを特徴とする請求項１記載の液注出容器。
【発明の詳細な説明】
【０００１】
【発明の属する技術分野】
本発明は、液注出容器、とくに内容液をシャワー状に噴出させるようにした液注出容器に関する。
【０００２】
【従来の技術】
キャップ本体の頂壁に設けた円錐状注出開口部に開口弁を嵌挿し、容器口部を下方に向けたときに、開口弁が液圧によって開かれて、リング状の注出口が形成され、胴部のスクイズにより内容液が、リング状あるいはシャワー状に噴出されるようにした液注出容器は、従来より知られている。
【０００３】
【発明が解決しようとする課題】
しかしながら、従来の容器は、内容液を注出するために容器を傾け、容器口部を横にしたとき、さらに、容器口部を下方にむけたときに、ウォーターハンマー作用によって内容液が噴出されるという問題があった。
また、容器を傾け始めてから、所要の方向に向けるまでの間に、液圧によって開口弁が開かれ、不要な個所に内容液が溢散させるという問題があった。
【０００４】
本発明は、上記の問題を解決することを課題とし、注出時に、液移動によるウォーターハンマー作用による内容液の溢散を押さえるとともに、開口弁が徐々に開かれ、容器口部を下方に向けたときには、容器の内容液が注出されるようにした液注出容器を提供することを目的とする。
【０００５】
【課題を解決するための手段】
本発明は、上記の課題を解決するため、液注出容器として、キャップ基体の上壁に設けた上方に広がる円錐状弁座を具えた注出開口部と、該注出開口部に係合する開口弁を備えた液注出容器において、開口弁が、中央に透孔を穿孔した円錐状弁部と、下端にばね受け部を設けた円筒部とからなり、キャップ基体の上壁下面とばね受け部との間に圧縮ばねを弾装した構成を採用する。
【０００６】
シャワー状に噴出させるために、上記構成に付加して、注出開口部の円錐状弁座面に凸部を形成し、開口弁の円錐状弁部に前記凸部と係合する凹部を設け、内容液をシャワー状に噴出するようにしたことを特徴とする構成を採用する。
【０００７】
さらに、二重筒状のシャワーとするために、注出開口部の円錐状弁座面に形成した凸部が突条であり、開口弁の円錐状弁部に設けた凹部が凹溝であって、突条の山面が開口弁の解放時にも凹溝内に位置するように設け、内容液を二重シャワー状に噴出するようにしたことを特徴とする構成を採用する。
【０００８】
【発明の実施の形態】
次に、本発明液注出容器の実施形態について、図面を参照して説明する。
図１において、Ａは容器、Ｂはキャップで、いずれも合成樹脂によって成形されている。
容器Ａには、内容液として洗剤、化粧料その他が収納される。
容器Ａは、口部１と胴部２、底部とからなり、口部１外周には、ねじ３が螺設されている。
【０００９】
図１，２に示すように、キャップＢは、キャップ基体Ｂ１と、該キャップ基体Ｂ１に三点ヒンジの蝶番機構Ｂ２によって開閉自在として取着された開閉蓋Ｂ３とからなっている。
キャップ基体Ｂ１は、側周壁４と上壁５とを具え、側周壁４の内周には口部１のねじ３に螺合するねじ６が螺設され、外周上端縁には、段部７が設けられている。
【００１０】
外周の所定位置には、段部７から切り下げられた凹部８が刻設され、その下端から蝶番機構Ｂ２の押え板９が連設され、凹部８の両側の段部７周縁には、蝶番１０が連設されている。
蝶番機構Ｂ２の反対側の周面には、段部７下方を切欠いて凹部１１が設けられている。
【００１１】
図３に示すように、上壁５の上面には、注出開口部１２が立設されており、該注出開口部１２は、上部が広がった円錐状弁座１３と、該円錐状弁座１３の下部に連設された円形の流通孔１４とを具えている。
【００１２】
注出開口部１２には、開口弁１５が係合されており、開口弁１５は、円錐状弁座１３に係合する円錐状弁部１６と円筒部１７とからなり、中央には、透孔１８が穿孔されている。
円筒部１７の下端には、ばね受け部１９が設けられており、該ばね受け部１９と注出開口部１２の下面２０との間に、圧縮ばね２１が弾装されている。
【００１３】
図２に示すように、上壁５の凹部１１の上方の上端周縁には、一定範囲にわたる膨出部２２が設けられている。
上壁５の下面には、容器Ａの口部１内周に嵌合し、容器内部を密封する密封リング２３が垂設されている。
【００１４】
開閉蓋Ｂ３は、頂壁３０と側周壁３１とからなり、頂壁３０の下面には、注出開口部１２の周面１２ａに係合する密封リング３２が垂設されており、その内周には、開口弁１５の円錐状弁部１６を円錐状弁座１３に圧接させ、注出開口部１２を密封する押圧リング３３が垂設されており、中心には、透孔１８を閉鎖する密封ピン３４が垂設されている。
【００１５】
頂壁３０には、切欠部３５が刻設され、その始端には、蝶番機構Ｂ２の押え板９の一端が連設されている。
側周壁３１下端部には、押え板９を挟むよう蝶番１０の一端が連設されており、蝶番機構Ｂ２の反対側の下端周縁には、つまみ３６が突設されている。
つまみ３６の内周には、膨出部２２に係合する一定巾の凹溝３７が設けられている。
【００１６】
次に、本発明液注出容器の作用効果について説明する。
液注出容器は、使用時に容器口部１を下方に向けることによって、内容物を注出させる。
内容液の注出にあたって、開閉蓋Ｂ３を開き容器Ａを傾けた場合には、内容液のウォーターハンマー作用によりキャップＢ上壁５内面に衝撃的に液圧がかかるが、開口弁１５は、圧縮ばね２１によって閉鎖方向に付勢されており、ばねが急激に圧縮されないため、開口弁１５は開かれない。
そのため、容器Ａを傾けたときに、一時的に内容液が飛び出すことはない。
【００１７】
図４に示すように、容器口部１を下方に向けると、液圧によって圧縮ばね２１の力に抗して開口弁１５が開かれ、円錐筒状の開口が形成され、透孔１８より空気が導入されることと相まって、内容液が円錐状弁部１６の円錐面に沿って、リング状に注出される。
そして、落下に従って、円錐筒リングが分断されて細流に集束され、シャワー状となって落下することになる。
【００１８】
内容液が少なくなり液圧が低下したときには、胴部２を押圧することによって注出させることができる。
場合によっては容器をスクイズタイプとし、最初から胴部を押圧することによって、内容液を噴出させることもできる。
その場合は、透孔１８からも注出されるが、胴部２の押圧を解くと透孔１８から空気が導入される。
また、胴部２の押圧により、圧縮ばね２１に大きな力がかかり、開口弁１５が大きく開かれるが、ばね力を適宜に設定することにより、円錐筒状の開口の大きさを制限することができる。
【００１９】
注出後に容器Ａを正立させると、圧縮ばね２１が復元することによって注出開口部１２が閉鎖され、開閉蓋Ｂ３を閉じると、押圧リング３３によって開口弁１５が押さえられるので、容器Ａを横倒ししたり、倒立させても開口弁１５が開かれない。
【００２０】
次に、注出開口部と開口弁の実施例について説明する。
前記実施形態では、注出当初には、円錐筒のリング状として注出させるようにしたが、本実施例は、当初から噴流を分離させ、シャワー状に噴出させるようにしたものである。
【００２１】
図５，６に示すように、注出開口部１２の円錐状弁座１３には、周方向に等間隔をおいて、突条４０が配設され、開口弁１５の円錐状弁部１６には、突条４０が係合する凹溝４１が刻設されている。
突条４０の高さは、開口弁１５が開放されたときにもその山面４０ａが凹溝４１内に位置するようになっている。
突条４０と突条４０との間隔、高さ、巾は、適宜に選択することができ、そのことによって噴出口の位置をかえることができる。
【００２２】
図６に示すように、開口弁１５が開かれたときには、内容液は、突条４０の山面４０ａと凹溝４１の谷面４１ａとの間、および突条４０間の円錐状弁座１３と円錐状弁部１６との間から噴出され、内外二重のシャワーとして噴出される。
【００２３】
上記実施例において、突条４０の山面を低くすれば、図７に示すように、注出開口部１２は、内外が連続することになるが、当初から連続したリング状の薄膜を形成しないでシャワー状に噴出される。
また、上記実施例では、突条４０と凹溝４１を組み合わせるようにしたが、それに限らず、図８に示すような円弧状の凸部５０と凹部５１との組合せ、その他、円錐筒状の開口の円形を乱すようにするものであれば、内容液を開口からシャワー状に噴出させることができる。
【００２４】
【発明の効果】
本発明は、上記のように構成されているから、次の効果を奏する。
キャップ上壁の注出開口部と開口弁との間に圧縮ばねを弾装したから、容器を傾けた時にウォーターハンマー作用による内容液の噴出を阻止することができる。
【００２５】
開口弁に透孔を設けたから、液圧によって開口弁を開き、円錐筒状の開口から内容液をリング状またはシャワー状に噴出することができる。
【図面の簡単な説明】
【図１】本発明注出容器の断面正面図である。
【図２】キャップの開閉蓋を１８０度開いたときの説明図で、（ａ）は上面図、（ｂ）は断面立面図である。
【図３】注出開口部と開口弁の拡大説明図である。
【図４】内容液注出時の説明図である。
【図５】注出開口部と開口弁の実施例であって、（ａ）は上面図、（ｂ）は縦断面図である。
【図６】  実施例の噴出時の説明図で、（ａ）は縦断面図、（ｂ）は噴出開口の形状を示す説明図、（ｃ）は図（ａ）のＡ−Ａ線における断面の展開図である。
【図７】  上記実施例の変形説明図で、図６（ａ）におけるＡ−Ａ線における断面の展開図である。
【図８】  注出開口部と開口弁の別実施例である。
【符号の説明】
Ａ        容器
Ｂ        キャップ
Ｂ１      キャップ基体
Ｂ２      蝶番機構
Ｂ３      開閉蓋
１        口部
２        胴部
４        側周壁
５        上壁
１２      注出開口部
１３      円錐状弁座
１４      流通孔
１５      開口弁
１６      円錐状弁部
１７      円筒部
１８      透孔
１９      ばね受け部
２０      下面
２１      圧縮ばね
３０      頂壁
３１      側周壁
３２      密封リング
３３      押圧リング
３４      密封ピン
４０      突条
４１      凹溝
５０      凸部
５１      凹部
【図１】
0004312374.tif 000002
【図２】
0004312374.tif 000003
【図３】
0004312374.tif 000004
【図４】
0004312374.tif 000005
【図５】
0004312374.tif 000006
【図６】
0004312374.tif 000007
【図７】
0004312374.tif 000008
【図８】
0004312374.tif 000009